(57)【特許請求の範囲】
【請求項１】
接触を検出する接触検出部と、
前記接触検出部に対する押圧を検出する押圧検出部と、
オブジェクトを表示する表示部と、
前記接触検出部を振動させる振動部と、
入力を受け付ける制御部とを備え、
前記制御部は、入力済みのデータに応じて、入力を受け付けるための前記押圧に関する閾値を前記オブジェクトに対して設定し、
入力の受付が前記押圧に基づいて判別されるオブジェクトに対して前記接触検出部により接触が検知された場合に、
前記オブジェクトに対して設定された閾値が所定の閾値でなければ前記振動部により前記接触検出部を振動させ、
前記オブジェクトに対して設定された閾値が所定の閾値であれば前記振動部により前記接触検出部を振動させない電子機器。
【請求項２】
接触を検出する接触検出部と、
前記接触検出部に対する押圧を検出する押圧検出部と、
オブジェクトを表示する表示部と、
前記接触検出部を振動させる振動部と、
入力を受け付ける制御部とを備え、
前記制御部は、入力済みのデータに応じて、前記オブジェクトに対して設定された、入力を受け付けるための前記押圧に関する閾値を変化させ、
入力の受付が前記押圧に基づいて判別されるオブジェクトに対して前記接触検出部により接触が検知された場合に、
前記オブジェクトに対して設定された閾値が所定の閾値でなければ前記振動部により前記接触検出部を振動させ、
前記オブジェクトに対して設定された閾値が所定の閾値であれば前記振動部により前記接触検出部を振動させない電子機器。
【請求項３】
請求項１または請求項２に記載の電子機器であって、
前記制御部は、前記閾値に基づいてオブジェクトへの入力を受け付け、所定の機能の実行を確定するオブジェクトへの入力を受け付ける前記閾値を該オブジェクトに対する所定の値に設定することを特徴とする電子機器。
【請求項４】
請求項１に記載の電子機器であって、
前記制御部は、前記表示部に表示中の少なくとも一部のオブジェクトへの入力を受け付けるための前記閾値を該オブジェクトに応じた値に設定することを特徴とする電子機器。
【請求項５】
接触検出部が接触を検出する接触検出ステップと、
押圧検出部が前記接触検出部に対する押圧を検出する押圧検出ステップと、
表示部がオブジェクトを表示する表示ステップと、
入力を受け付けて振動部による前記接触検出部の振動を制御する振動制御ステップとを含み、
前記振動制御ステップは、入力済みのデータに応じて、入力を受け付けるための前記押圧に関する閾値を前記オブジェクトに対して設定し、
入力の受付が前記押圧に基づいて判別されるオブジェクトに対して前記接触検出ステップで接触が検知された場合に、
前記オブジェクトに対して設定された閾値が所定の閾値でなければ前記振動部により前記接触検出部を振動させ、
前記オブジェクトに対して設定された閾値が所定の閾値であれば前記振動部により前記接触検出部を振動させない電子機器の制御方法。
【請求項６】
接触検出部が接触を検出する接触検出ステップと、
押圧検出部が前記接触検出部に対する押圧を検出する押圧検出ステップと、
表示部がオブジェクトを表示する表示ステップと、
入力を受け付けて振動部による前記接触検出部の振動を制御する振動制御ステップとを含み、
前記振動制御ステップは、入力済みのデータに応じて、前記オブジェクトに対して設定された、入力を受け付けるための前記押圧に関する閾値を変化させ、
入力の受付が前記押圧に基づいて判別されるオブジェクトに対して前記接触検出ステップで接触が検知された場合に、
前記オブジェクトに対して設定された閾値が所定の閾値でなければ前記振動部により前記接触検出部を振動させ、
前記オブジェクトに対して設定された閾値が所定の閾値であれば前記振動部により前記接触検出部を振動させない電子機器の制御方法。
【発明の詳細な説明】
【技術分野】
【０００１】
本発明は、電子機器および電子機器の制御方法に関するものである。より詳細には、タッチセンサなどの接触検出部に対する入力に基づいて、アプリケーションソフトウェアを実行させるなど所定の処理を行う電子機器およびその制御方法に関するものである。
【背景技術】
【０００２】
近年、使用者からの多様な入力に応じた多様な機能を実行する電子機器例えば、携帯電話端末およびパーソナルコンピュータが知られている。このような電子機器への入力の中には、特定の入力の間違えた実行が通常の入力に比べて好ましくないことがある。
【０００３】
例えば、携帯端末では１１０番などの緊急通報が可能である（特許文献１参照）。このような緊急通報は広範に影響を及ぼし得るので、緊急通報の誤操作は、通常の連絡先への発呼の誤操作以上に、十分に抑制することが望まれる。
【０００４】
また、アドレス帳等のデータ削除において、操作者が操作に慣れてくると削除すべきデータかの確認を怠ることが多い。このような場合に連続したキーの押下により誤って必要なデータを削除してしまうことがある。このように後に回復不能な誤操作も通常の操作に比べて十分に抑制することが望まれる。
【先行技術文献】
【特許文献】
【０００５】
【特許文献１】特開２００９−３３３１３号公報
【発明の概要】
【発明が解決しようとする課題】
【０００６】
したがって、かかる事情に鑑みてなされた本発明の目的は、特定の入力に対して、通常の入力以上に誤操作を抑制し得る電子機器および電子機器の制御方法を提供することにある。
【課題を解決するための手段】
【０００７】
上述した諸課題を解決すべく、本発明による第１の電子機器は、
接触を検出する接触検出部と、
前記接触検出部に対する押圧を検出する押圧検出部と、
オブジェクトを表示する表示部と、
前記接触検出部を振動させる振動部と、
入力を受け付ける制御部とを備え、
前記制御部は、入力済みのデータに応じて、入力を受け付けるための前記押圧に関する閾値を前記オブジェクトに対して設定し、
入力の受付が前記押圧に基づいて判別されるオブジェクトに対して前記接触検出部により接触が検知された場合に、
前記オブジェクトに対して設定された閾値が所定の閾値でなければ前記振動部により前記接触検出部を振動させ、
前記オブジェクトに対して設定された閾値が所定の閾値であれば前記振動部により前記接触検出部を振動させない
ことを特徴とするものである。
【０００８】
また、本発明による第２の電子機器は、
接触を検出する接触検出部と、
前記接触検出部に対する押圧を検出する押圧検出部と、
オブジェクトを表示する表示部と、
前記接触検出部を振動させる振動部と、
入力を受け付ける制御部とを備え、
前記制御部は、入力済みのデータに応じて、前記オブジェクトに対して設定された、入力を受け付けるための前記押圧に関する閾値を変化させ、
入力の受付が前記押圧に基づいて判別されるオブジェクトに対して前記接触検出部により接触が検知された場合に、
前記オブジェクトに対して設定された閾値が所定の閾値でなければ前記振動部により前記接触検出部を振動させ、
前記オブジェクトに対して設定された閾値が所定の閾値であれば前記振動部により前記接触検出部を振動させない
ことが好ましい。
【０００９】
また、
制御部は、閾値に基づいてオブジェクトへの入力を受け付け、所定の機能の実行を確定するオブジェクトへの入力を受け付ける閾値を該オブジェクトに対する所定の値に設定する
ことが好ましい。
【００１０】
また、
制御部は、表示部に表示中の少なくとも一部のオブジェクトへの入力を受け付けるための閾値を該オブジェクトに応じた値に設定する
ことが好ましい。
【００１１】
また、本発明を方法として実現させた第１の電子機器の制御方法は、
接触検出部が接触を検出する接触検出ステップと、
押圧検出部が前記接触検出部に対する押圧を検出する押圧検出ステップと、
表示部がオブジェクトを表示する表示ステップと、
入力を受け付けて振動部による前記接触検出部の振動を制御する振動制御ステップとを含み、
前記振動制御ステップは、入力済みのデータに応じて、入力を受け付けるための前記押圧に関する閾値を前記オブジェクトに対して設定し、
入力の受付が前記押圧に基づいて判別されるオブジェクトに対して前記接触検出ステップで接触が検知された場合に、
前記オブジェクトに対して設定された閾値が所定の閾値でなければ前記振動部により前記接触検出部を振動させ、
前記オブジェクトに対して設定された閾値が所定の閾値であれば前記振動部により前記接触検出部を振動させない
ことを特徴とするものである。
【００１２】
また、本発明による第２の電子機器の制御方法は、
接触検出部が接触を検出する接触検出ステップと、
押圧検出部が前記接触検出部に対する押圧を検出する押圧検出ステップと、
表示部がオブジェクトを表示する表示ステップと、
入力を受け付けて振動部による前記接触検出部の振動を制御する振動制御ステップとを含み、
前記振動制御ステップは、入力済みのデータに応じて、前記オブジェクトに対して設定された、入力を受け付けるための前記押圧に関する閾値を変化させ、
入力の受付が前記押圧に基づいて判別されるオブジェクトに対して前記接触検出ステップで接触が検知された場合に、
前記オブジェクトに対して設定された閾値が所定の閾値でなければ前記振動部により前記接触検出部を振動させ、
前記オブジェクトに対して設定された閾値が所定の閾値であれば前記振動部により前記接触検出部を振動させない
ことを特徴とするものである。
【発明の効果】
【００１３】
上記のように構成された本発明に係る電子機器によれば、特定の入力に対して通常の入力以上に誤操作を抑制可能である。
【図面の簡単な説明】
【００１４】
【図１】本発明の一実施形態に係る電子機器の概略構成を示すブロック図である。
【図２】電子機器の実装構造の例を示す図である。
【図３】制御部が実行する緊急特番発進抑制処理を説明する第１のフローチャートである。
【図４】制御部が実行する緊急特番発進抑制処理を説明する第２のフローチャートである。
【図５】制御部が実行するデータ削除抑制処理を説明する第１のフローチャートである。
【図６】制御部が実行するデータ削除抑制処理を説明する第１のフローチャートである。
【発明を実施するための形態】
【００１５】
以下、本発明の実施形態について、図面を参照して説明する。
【００１６】
図１は、本実施形態に係る電子機器の概略構成を示すブロック図である。
【００１７】
本実施形態に係る電子機器１は例えば携帯電話端末であり、図１に示すように、制御部１０と、表示部３０と、接触検出部４０と、振動部５０と、押圧検出部６０と、記憶部８０とを備えている。
【００１８】
制御部１０は、電子機器１を構成する各機能部を制御することにより、電子機器１の全体を制御および管理する。制御部１０の処理のうち本実施の形態特有のものについては後述する。
【００１９】
表示部３０は、例えば押しボタンスイッチ（プッシュ式ボタンスイッチ）等のようなオブジェクトを画像で表示する。このオブジェクトは、接触検出部４０のタッチ面上において接触すべき領域を操作者に示唆する画像である。また、押しボタンスイッチとは、操作者が入力操作に用いるボタンやキー等（以下、単に「キー等」と総称する）である。表示部３０は、例えば、液晶表示パネル（ＬＣＤ）や有機ＥＬ表示パネル等を用いて構成する。
【００２０】
接触検出部４０は、通常は表示部３０の前面に配置して、表示部３０に表示したオブジェクトに対する操作者の指やスタイラスペン等（以下、単に「接触物」と総称する）による接触を、対応する接触検出部４０のタッチ面において検出する。また、接触検出部４０は、タッチ面に対する接触物の接触の位置を検出し、当該検出した接触の位置を制御部１０に通知する。この接触検出部４０は、例えば抵抗膜方式、静電容量方式、光学式等の方式のもので構成されたタッチセンサを用いることができる。
【００２１】
振動部５０は、例えば圧電振動子等を用いて構成し、接触検出部４０を振動させる。この振動部５０は、所定の振動パターンによる振動を発生させることにより、タッチ面に接触している接触物に対して触感を呈示する。本実施の形態において、振動部５０は、制御部１０から供給される駆動信号に基づいて振動を発生する。
【００２２】
すなわち、本実施の形態において、制御部１０は、振動部５０が振動するように制御する。また、この際、制御部１０は、接触検出部４０が検出する接触物の接触の位置に応じて、振動部５０を駆動する駆動信号を異ならせるように制御することもできる。つまり、制御部１０は、接触検出部４０が接触を検出した位置に対応する表示部３０に表示されたオブジェクトに応じて、異なる態様の振動を発生するよう制御することもできる。
【００２３】
押圧検出部６０は、接触検出部４０のタッチ面に対する押圧を検出するもので、例えば、押圧に応じて物理的または電気的な特性（歪み、抵抗、電圧等）が変化する歪みゲージセンサや圧電素子等の素子等を用いて構成する。押圧検出部６０が、例えば、圧電素子等を用いて構成された場合、押圧検出部６０の圧電素子は、接触検出部４０のタッチ面に対する押圧に係る荷重（力）の大きさ（または、荷重（力）の大きさが変化する速さ（加速度））に応じて、電気的な特性である電圧の大きさ（電圧値（以下、単に押圧に基づくデータと称する））が変化する。制御部１０は、押圧検出部６０の押圧に基づくデータを制御部１０に通知することにより、または、制御部１０が、押圧検出部６０の押圧に基づくデータを検出することにより、当該押圧に基づくデータを取得する。つまり、制御部１０は、接触検出部４０のタッチ面に対する押圧に基づくデータを押圧検出部６０から取得する。なお、押圧に基づくデータは、電圧値の代わりに、押圧に係る荷重の大きさ、電力値、抵抗値等でもよい。なお、振動部５０と押圧検出部６０は一体化して構成されていてもよい。
【００２４】
記憶部８０は、例えばフラッシュメモリ等によって構成し、電子機器１において実行する各種のアプリケーションソフトウェア（以下、単に「アプリケーション」と記す）を記憶するのみならず、各種の情報を記憶することができる。
【００２５】
図２は、図１に示した電子機器１のうち、表示部３０、接触検出部４０、振動部５０、および押圧検出部６０を中心とする実装構造の一例を示す図である。図２（Ａ）は要部断面図であり、図２（Ｂ）は要部平面図である。図２（Ａ）に示すように、本実施形態に係る電子機器１において、表示部３０は、筐体７１内に収納保持される。また、表示部３０上には、弾性部材からなるインシュレータ７２を介して、接触検出部４０が保持される。また、電子機器２において、接触検出部４０は、図２（Ｂ）に仮想線で示す表示部３０の表示領域Ａから外れた４隅に配設したインシュレータ７２を介して表示部３０上に保持される。なお、図２において、本実施の形態に係る電子機器２は、表示部３０および接触検出部４０を、平面視で矩形状としている。しかしながら、これらの形状は、電子機器２が備える接触検出部４０または表示部３０の構成などの諸条件に応じた形状とすることができる。
【００２６】
また、筐体７１には、表示部３０の表示領域から外れた接触検出部４０の表面領域を覆うようにアッパカバー７３が設けられ、このアッパカバー７３と接触検出部４０との間に、弾性部材からなるインシュレータ７４が配設される。なお、図２に示す接触検出部４０において、タッチ面４０ａを有する表面部材は、例えば透明フィルムやガラスで構成され、裏面部材はガラスやアクリルで構成されるようにする。接触検出部４０は、タッチ面４０ａが押圧されると、押圧部分が押圧力に応じて微少量撓む（歪む）、または構造体そのものが微少量撓む構造のものを用いる。
【００２７】
接触検出部４０の表面上には、アッパカバー７３で覆われる各辺の近傍に、接触検出部４０に加わる押圧を検出するための歪みゲージセンサ６２が、それぞれ接着等により設けられる。さらに、接触検出部４０の裏面上には、対向する２つの辺の近傍に、接触検出部４０を振動させるための圧電振動子５２が、それぞれ接着等により設けられる。すなわち、図２に示す電子機器２において、図１に示した押圧検出部６０は、４つの歪みゲージセンサ６２を用いて構成され、振動部５０は、２つの圧電振動子５２を用いて構成されている。そして、振動部５０により接触検出部４０を振動させることにより、タッチ面４０ａを振動させるようにしている。なお、図２（Ｂ）は、図２（Ａ）に示した筐体７１、アッパカバー７３およびインシュレータ７４の図示を省略している。
【００２８】
上述の構成を有する電子機器１において、表示部３０にオブジェクトを表示中に、接触検出部４０および押圧検出部６０それぞれから接触位置およびデータを取得すると、制御部１０は入力の受付判別を行う。後述するように、制御部１０は接触位置およびデータに基づいて入力の受付判別を行う。さらに、制御部１０は受け付けた入力に応じて電子機器１を構成する各機能部を制御する。
【００２９】
電子機器１は、特定の条件における入力に対して受付判別方法を変えることにより、誤入力を抑制することが可能である。例えば、１１０番などの緊急通報のための電話番号の発信、および電子機器１に記憶させたデータの削除などのように、複数回の入力によって特定の機能を実行する連続入力において、電子機器１は誤入力を抑制することが可能である。
【００３０】
操作者の緊急通報のための発信の入力時に、制御部１０が実行する緊急特番発信抑制処理について、図３、４のフローチャートを用いて説明する。制御部１０は、表示部３０に少なくともテンキー、クリアキー、および発信キーのオブジェクトを表示し、電話番号の入力が可能となるときに緊急特番発信抑制処理を開始する。
【００３１】
ステップＳ１００において、制御部１０は、表示している全てのキーなどに対して、入力を受け付けるかを判別するための押圧に基づくデータと比較する閾値をａに設定する。閾値の設定後、プロセスはステップＳ１０１に進む。
【００３２】
ステップＳ１０１では、制御部１０は、接触検出部４０が接触を検出したか否かを判別する。接触が検出されていない場合にはプロセスはステップＳ１０１に戻り、接触が検出されるまでステップＳ１０１を繰返す。接触を検出すると、制御部１０は接触位置を接触検出部４０から取得して、プロセスはステップＳ１０２に進む。
【００３３】
ステップＳ１０２では、制御部１０は、ステップＳ１０１において取得した接触位置がキー等のオブジェクトに対応する位置であるか否かを判別する。キー等のオブジェクトに対応する位置でなければ、プロセスはステップＳ１０１に戻る。キー等のオブジェクトに対応する位置であれば、プロセスはステップＳ１０３に進む。
【００３４】
ステップＳ１０３では、制御部１０は、ステップＳ１０１において取得した接触位置に対応するキーに対して設定された閾値がａであるか否かを判別する。設定された閾値がａでない場合には、プロセスはステップＳ１０４に進む。設定された閾値がａである場合には、プロセスはステップＳ１０４をスキップしてステップＳ１０５に進む。
【００３５】
ステップＳ１０４では、制御部１０は、振動部５０に振動を発生させる。振動を発生させると、プロセスはステップＳ１０５に進む。
【００３６】
ステップＳ１０５では、制御部１０は、押圧検出部６０から押圧に基づくデータを取得する。押圧データを取得すると、プロセスはステップＳ１０６に進む。
【００３７】
ステップＳ１０６では、制御部１０は、ステップＳ１０５で取得した押圧に基づくデータがステップＳ１０１で取得した接触位置に対応するキーに設定された閾値を超えるか否かを判別する。押圧に基づくデータが閾値未満である場合には、プロセスはステップＳ１０１に戻る。押圧に基づくデータが閾値を超える場合には、プロセスはステップＳ１０７に進む。
【００３８】
ステップＳ１０７では、制御部１０は、ステップＳ１０１で取得した接触位置に対応するキーへの入力を受け付ける。キーの入力を受け付けると、プロセスはステップＳ１０８に進む。
【００３９】
図４に示すように、ステップＳ１０８では、制御部１０は、ステップＳ１０７において入力を受け付けたキーの種類を判別する。数字キーである場合には、プロセスはステップＳ１０９に進む。“クリアキー”である場合には、プロセスはステップＳ１１３に進む。“発信キー”である場合には、プロセスはステップＳ１１４に進む。その他のキーである場合には、緊急特番発信抑制処理を終了する。
【００４０】
ステップＳ１０９では、制御部１０は、制御部１０に設けられる電話番号バッファ（ＴＥＬ＿ＮＵＭ）に、数字キーに対応する数字を格納する。電話番号バッファ（ＴＥＬ＿ＮＵＭ）には、リセットされるまで、過去に格納された数字に続いて新規な数字が格納される。電話番号バッファ（ＴＥＬ_ＮＵＭ）への数字の格納を終えると、プロセスはステップＳ１１０に進む。
【００４１】
ステップＳ１１０では、制御部１０は、電話番号バッファ（ＴＥＬ＿ＮＵＭ）に格納された数字を判別する。電話番号バッファ（ＴＥＬ＿ＮＵＭ）に格納された数字が“１１”である場合には、プロセスはステップＳ１１１に進む。電話番号バッファ（ＴＥＬ＿ＮＵＭ）に格納された数字が“１１０”、“１１８”、“１１９”のいずれかである場合には、プロセスはステップＳ１１２に進む。電話番号バッファ（ＴＥＬ＿ＮＵＭ）に格納された数字が“１１”、“１１０”、“１１８”、“１１９”のいずれでもない場合には、プロセスはステップＳ１０１に戻る。
【００４２】
ステップＳ１１１では、制御部１０は、“０”、“８”、“９”の番号キーに対する閾値をｂ（ａ＜ｂ）に変更する。ただし、他のキーの閾値は変更しない。閾値を変更すると、プロセスはステップＳ１０１に戻る。
【００４３】
ステップＳ１１２では、制御部１０は、“発信キー”に対する閾値をｃ（ｂ＜ｃ）に変更する。また、制御部１０は、“０”、“８”、“９”の番号キーに対する閾値をａに戻す。閾値を変更すると、プロセスはステップＳ１０１に戻る。
【００４４】
前述のように、ステップＳ１０８において判別したキーが“クリアキー”である場合に進むステップＳ１１３では、制御部１０は、電話番号バッファ（ＴＥＬ＿ＮＵＭ）に格納された最終桁の数字を削除する。数字の削除後、プロセスはステップＳ１０１に戻る。
【００４５】
前述のように、ステップＳ１０８において判別したキーが“発信キー”である場合に進むステップＳ１１４では、制御部１０は、電話番号バッファ（ＴＥＬ＿ＮＵＭ）に格納された電話番号に発信するように制御する。電話番号の発信後、緊急特番発信抑制処理を終了する。
【００４６】
電子機器１に記憶させたデータの削除の入力時に、制御部１０が実行するデータ削除抑制処理について、図５、６のフローチャートを用いて説明する。制御部１０は、表示部３０に少なくとも“削除キー”を表示し、特定のデータを削除する入力が可能となるときにデータ削除抑制処理を開始する。
【００４７】
ステップＳ２００からステップＳ２０７では、制御部１０は、緊急特番発信抑制処理におけるステップＳ１００からステップＳ１０７と同じ処理を実行する。
【００４８】
図６に示すように、ステップＳ２０８では、制御部１０は、ステップＳ２０７において入力を受け付けたキーの種類を判別する。“削除キー”である場合には、プロセスはステップＳ２０９に進む。“全件削除キー”、“選択削除キー”、および“１件削除キー”のいずれかである場合には、プロセスはステップＳ２１１に進む。“はいキー”である場合には、ステップＳ２１３に進む。その他のキーである場合には、データ削除抑制処理を終了する。
【００４９】
ステップＳ２０９では、制御部１０は、表示部３０に“全件削除”、“選択削除キー”、および“１件削除キー”のオブジェクトを表示させる。オブジェクトの表示後、プロセスはステップＳ２１０に進む。
【００５０】
ステップＳ２１０では、制御部１０は、“全件削除キー”に対する閾値をｃに、“選択削除キー”に対する閾値をｂに、“１件削除キー”に対する閾値をｄ（ａ＜ｄ＜ｂ）に設定する。閾値の設定後、プロセスはステップＳ２０１に戻る。
【００５１】
前述のように、ステップＳ２０８において判別したキーが“全件削除キー”、“選択削除キー”、および“１件削除キー”のいずれかである場合に進むステップＳ２１１では、制御部１０は表示部３０に“はいキー”および“いいえキー”のオブジェクトを表示させる。オブジェクトの表示後、プロセスはステップＳ２１２に進む。
【００５２】
ステップＳ２１２では、制御部１０は“はいキー”に対する閾値をｃに、“いいえキー”に対する閾値をａに設定する。閾値の設定後、プロセスはステップＳ２０１に戻る。なお、押下キーの種類に応じて適宜閾値を設定するとしてもよい。例えば、全件削除キーの場合にはｃとし、選択削除キーの場合にはｂとし、１件削除キーの場合にはｄとしてもよい。
【００５３】
前述のように、ステップＳ２０８において判別したキーが“はいキー”である場合に進むステップＳ２１３では、制御部１０はデータの削除を実行する。データ削除実行後、データ削除抑制処理を終了する。
【００５４】
以上のような構成の本実施形態の電子機器１によれば、連続入力における受け付け済みの入力に応じて特定のキーの入力に対して入力を受け付けるかを判別する押圧の閾値を設定可能である。したがって、入力を受け付けるためには強い押圧が必要となるので、誤操作を抑制することが可能である。
【００５５】
また、本実施形態の電子機器１によれば、連続入力における受け付け済みの入力に応じて特定のキーの入力に対して入力を受け付けるかを判別する押圧の閾値を、通常の入力に対して定められる閾値から変更可能である。したがって、通常のキー入力に対しても操作の受け付を押圧に基づいて判別する構成においても、特定のキー入力に対しては通常のキー入力に比べて強い押圧が必要となるので、誤操作を抑制することが可能である。
【００５６】
また、本実施形態の電子機器１によれば、連続入力において発信および削除のように入力受け付済みのキーに基づく所定の機能を実行させるためのキー入力の受け付けには、特定のキーに応じた閾値を設定可能である。したがって、連続入力による所定の機能の実行に対しては、特に強い押圧が必要となるようにも閾値を定めることが出来るので、ご操作の抑制効果を向上させることが可能である。
【００５７】
また、本実施形態の電子機器１によれば、連続入力において表示部３０に表示中の“全件削除キー”、“選択削除キー”、および“１件削除キー”のように、キーのオブジェクトに応じて閾値を設定することが可能である。したがって、誤操作による影響が大きなキーになるほど、誤操作の抑制効果を向上させることが可能である。
【００５８】
また、本実施形態の電子機器１によれば、連続入力において特定のキーに対しては接触を検出したときに振動を発生させることが可能である。したがって、誤操作を抑制すべきキーに対しては、振動により操作者に注意を喚起することが可能である。
【００５９】
本発明を諸図面や実施形態に基づき説明してきたが、当業者であれば本開示に基づき種々の変形や修正を行うことが容易であることに注意されたい。従って、これらの変形や修正は本発明の範囲に含まれることに留意されたい。
【００６０】
例えば、本実施形態において、緊急特番発信抑制処理では、直接１１０番、１１８番、および１１９番の番号を入力するときに閾値を変更する構成である。しかし、これらの番号の前に、１８４番、１８６番などの緊急通報のための番号に付加する番号とともに入力する場合にも本発明による入力の受付判別が行われてもよい。また、海外ローミングを受けることが可能である場合には、当該国における緊急通報のための電話番号に対して、上述のような入力の受付判別を行ってもよい。
【００６１】
また、本実施形態において、データ削除抑制処理では、誤操作による影響が大きなキーになるほど大きな閾値が設定される構成であるが、データの重要度、例えばデータの取得が有料であるか無料であるかなどに基づいて閾値を設定する構成であってもよい。
【００６２】
また、本実施形態において、電子機器１は携帯電話端末であるが、タッチパネルなどの接触検出部に対する入力に基づいて所定の処理を行う多様な機器に適用可能である。
【符号の説明】
【００６３】
１  電子機器
１０  制御部
３０  表示部
４０  接触検出部
４０ａ  タッチ面
５０  振動部
５２  圧電振動子
６０  押圧検出部
６２  歪みゲージセンサ
７１  筐体
７２  インシュレータ
７３  アップカバー
７４  インシュレータ
８０  記憶部
【図１】
0005934537.tif 000002
【図２】
0005934537.tif 000003
【図３】
0005934537.tif 000004
【図４】
0005934537.tif 000005
【図５】
0005934537.tif 000006
【図６】
0005934537.tif 000007